(57)【要約】【課題】電流センサに動作電力を供給する電源回路の故障判定を低コストで行うことができる電流測定装置を提供する。【解決手段】電流測定装置１００は、２つの電流センサ１１，１２と、電流センサ１１，１２に動作電力を供給する電源回路２１と、電流センサ１１，１２の出力信号Ｖ１，Ｖ２を受信する判定回路２２とを備えている。判定回路２２は、電流センサ１１，１２の出力信号Ｖ１，Ｖ２がともに異常値を示す場合には、電源回路２１の故障であると判定する。【選択図】図１
2015175759.tif 000002
【特許請求の範囲】
【請求項１】
第１、第２の電流センサと、
前記第１、第２の電流センサに動作電力を供給する電源部と、
前記第１、第２の電流センサの出力信号を受信する判定部と
を備え、
前記判定部は、前記第１、第２の電流センサの出力信号がともに異常値を示す場合には、前記電源部の故障であると判定する、電流測定装置。
【請求項２】
前記判定部は、前記第１、第２の電流センサの出力信号のいずれか一方のみが異常値を示す場合には、該異常値を出力する電流センサの故障であると判定する、請求項１に記載の電流測定装置。
【発明の詳細な説明】
【技術分野】
【０００１】
この発明は、電流測定装置に係り、特に電流センサに動作電力を供給する電源回路の故障判定機能を備えた電流測定装置に関する。
【背景技術】
【０００２】
現在、電流測定装置は様々な用途に用いられている。例えば特許文献１には、車載バッテリの給電路に電流センサを設け、当該電流センサの出力信号に基いてバッテリの充放電電流を測定する電流測定装置が記載されている。
【０００３】
一般的な電流測定装置において、電流センサに動作電力を供給する電源回路が故障した場合には、電流センサの出力信号は例えば０Ｖ等の異常値を示すようになる。この際、電流センサの出力信号を監視するだけでは、当該異常値の原因が電源回路の故障にあるのか電流センサの故障にあるのかを区別することができない。そのため、従来、電流センサに動作電力を供給する電源回路の故障判定機能を備えた図３に示されるような電流測定装置が用いられてきた。
【０００４】
図３に示される電流測定装置３００は、測定対象電流Ｉが流れる導線３０１の途中に配置される電流センサ３０２と、電流センサ３０２に動作電力を供給する電源回路３０３と、電源回路３０３の出力電圧を監視する監視回路３０４と、電流センサ３０２および監視回路３０４の出力信号を受信する判定回路３０５とから構成されている。監視回路３０４の出力信号Ｄｅｃは、電源回路３０３から＋５Ｖの直流電圧が出力されている場合には正常値を示し、出力されていない場合には異常値を示す。判定回路３０５は、監視回路３０４の出力信号Ｄｅｃに基いて電源回路３０３の故障判定を行う。
【先行技術文献】
【特許文献】
【０００５】
【特許文献１】特開２００７−３２７８２３号公報
【発明の概要】
【発明が解決しようとする課題】
【０００６】
しかしながら、図３に示されるような電流測定装置３００では、電源回路３０３の故障判定を行うために監視回路３０４が必要となり、装置全体のコストが増大してしまうという問題がある。
【０００７】
この発明はこのような問題を解決するためになされたものであり、電流センサに動作電力を供給する電源回路の故障判定を低コストで行うことができる電流測定装置を提供することを目的とする。
【課題を解決するための手段】
【０００８】
上記の課題を解決するために、この発明に係る電流測定装置は、第１、第２の電流センサと、第１、第２の電流センサに動作電力を供給する電源部と、第１、第２の電流センサの出力信号を受信する判定部とを備え、判定部は、第１、第２の電流センサの出力信号がともに異常値を示す場合には、電源部の故障であると判定する。
【０００９】
判定部は、第１、第２の電流センサの出力信号のいずれか一方のみが異常値を示す場合には、当該異常値を出力する電流センサの故障であると判定してもよい。
【発明の効果】
【００１０】
この発明に係る電流測定装置によれば、電流センサに動作電力を供給する電源回路の故障判定を低コストで行うことができる。
【図面の簡単な説明】
【００１１】
【図１】この発明の実施の形態に係る電流測定装置の構成を示す図である。
【図２】この発明の実施の形態に係る電流測定装置における、電流センサの電流−電圧特性を示す図である。
【図３】従来技術に係る電流測定装置の構成を示す図である。
【発明を実施するための形態】
【００１２】
以下、この発明の実施の形態について添付図面に基づいて説明する。
実施の形態．
この発明の実施の形態に係る電流測定装置１００の構成を図１に示す。電流測定装置１００は、測定対象電流Ｉが流れる導線１に取り付けられるセンサモジュール１０と、当該センサモジュール１０に配線３０〜３３を介して接続される制御モジュール２０とから構成されている。
【００１３】
センサモジュール１０は、電流Ｉが流れる導線１を取り囲むように配置される同一定格の２つの電流センサ１１，１２を備えている。電流センサ１１，１２は周知のホール効果電流センサであり、制御モジュール２０から電力線３０を経由して供給される直流５Ｖの動作電力によって動作し、電流Ｉによって導線１の周囲に発生した磁界をホールＩＣによって電圧Ｖ１，Ｖ２に変換して信号線３２，３３に出力する。
【００１４】
図２には、電流センサ１１，１２の電流−電圧特性が示されている。この図に示されるように、電流センサ１１，１２は、測定対象電流Ｉが０の場合に対応する出力電圧２．５Ｖを中心として、電流Ｉに比例した電圧を出力する。具体的には、図１において電流Ｉが矢印の向きに流れる場合には、電流センサ１１，１２の出力信号Ｖ１，Ｖ２は２．５Ｖ〜４．８Ｖの範囲の値をとり、電流Ｉが矢印と反対向きに流れる場合には、２．５Ｖ〜０．２Ｖの範囲の値をとる。
【００１５】
制御モジュール２０は、電流センサ１１，１２の動作電力を生成する電源回路２１と、電源回路２１および電流センサ１１，１２の故障判定を行う判定回路２２とを備えている。電源回路２１は、外部電源Ｖｃｃから供給される直流１２Ｖを直流５Ｖに降圧し、電力線３０を経由して電流センサ１１，１２に供給する。判定回路２２は、電流センサ１１，１２の出力信号Ｖ１，Ｖ２を信号線３２，３３を経由して受信し、当該出力信号Ｖ１，Ｖ２に基いて電源回路２１および電流センサ１１，１２の故障判定を行う。
【００１６】
上記の電流測定装置１００において、２つの電流センサ１１，１２がともに正常に機能している場合には、それらの出力信号Ｖ１，Ｖ２はともに０．２〜４．８Ｖの範囲の同一値をとる。そのため、判定回路２２は、電流センサ１１，１２の出力信号Ｖ１，Ｖ２がともに０．２〜４．８Ｖの範囲の正常値を示す場合には、電源回路２１および電流センサ１１，１２が正常に機能していると判定する。
【００１７】
一方、電力線３０の断線を含む電源回路２１の故障が発生した場合には、電流センサ１１，１２の信号電圧Ｖ１，Ｖ２はともに異常値（０Ｖ）を示すようになる。そのため、判定回路２２は、電流センサ１１，１２の出力信号Ｖ１，Ｖ２がともに異常値を示す場合には、電源回路２１の故障（電力線３０の断線を含む）が発生していると判定する。
【００１８】
また、信号線３２，３３のいずれか一方の断線を含む電流センサ１１，１２のいずれか一方の故障が発生した場合には、電流センサ１１，１２のいずれか一方の出力信号のみが異常値（０Ｖあるいは５Ｖ）を示すようになる。そのため、判定回路２２は、電流センサ１１，１２の出力信号Ｖ１，Ｖ２のいずれか一方のみが異常値を示す場合には、当該異常値を出力する電流センサの故障（信号線の断線を含む）が発生していると判定する。
【００１９】
以上説明したように、この実施の形態に係る電流測定装置１００において、判定回路２２は、電流センサ１１，１２の出力信号Ｖ１，Ｖ２がともに異常値を示す場合には、電源回路２１の故障であると判定する。これにより、電流センサ１１，１２に動作電力を供給する電源回路２１の故障判定を、電源回路２１の出力電圧の監視回路を設けることなく、低コストで行うことができる。
【００２０】
また、判定回路２２は、電流センサ１１，１２の出力信号Ｖ１，Ｖ２のいずれか一方のみが異常値を示す場合には、当該異常値を出力する電流センサの故障であると判定する。これにより、電流センサ１１，１２の故障判定を低コストで行うことができる。
【００２１】
その他の実施の形態．
上記の実施の形態では、電流センサ１１，１２はホール効果電流センサであったが、本発明の適用範囲はこれに限定されるものではなく、他の原理に基づく電流センサであってもよい。
【符号の説明】
【００２２】
１００  電流測定装置、１１，１２  電流センサ、２１  電源回路（電源部）、２２  判定回路（判定部）、Ｖ１，Ｖ２  出力信号。
【図１】
2015175759.tif 000003
【図２】
2015175759.tif 000004
【図３】
2015175759.tif 000005